(57)【特許請求の範囲】
【請求項１】
巻取機構を内蔵したトノカバーケースとこのトノカバーケースから引き出されるトノカバー本体を含むトノカバーユニットを備えた車両用トノカバー装置であって、
荷室の両側部に設けられて各々が車体の前後方向に延びかつ前後に位置が異なる複数の係止部を有するガイド部材と、
前記トノカバーケースの両端部に設けられて前記各ガイド部材の上面に乗りかつ前記トノカバーケースが前記ガイド部材に対し前後方向に移動できるよう該トノカバーケースをスライド自在に支持するサポート部と、
前記トノカバーケースの前記両端部に設けられかつ前記サポート部が前記ガイド部材の上面に乗った状態において前記ガイド部材の前記係止部に対して係合するロック位置および係合が外れるロック解除位置にわたって移動可能なロック部材と、
前記トノカバーケースの前記両端部に設けられ前記ロック部材を前記ロック位置からロック解除位置にわたって操作可能な操作部と、
を具備したことを特徴とする車両用トノカバー装置
【発明の詳細な説明】
【０００１】
【発明の属する技術分野】
この発明は、リクライニング機構を有するリヤシートを備えた車両に好適に使用される車両用トノカバー装置に関する。
【０００２】
【従来の技術】
いわゆるワゴンタイプの自動車あるいはワンボックス車等の車両において、車両後部の荷室を覆うためにトノカバーが装備されることがある。例えば図６に示す従来のトノカバーユニット１のように、巻取機構を内蔵したトノカバーケース２から引き出されるトノカバー本体３によって、荷室４を覆うようにしたものが知られている。トノカバー本体３は布などの展開可能な材料からなり、トノカバーケース２に巻込まれるようになっている。
【０００３】
上記トノカバーユニット１はリヤシートバック５の背後に装備されている。例えばトノカバーケース２の両端部２ａを荷室前部のトノカバー取付部６に嵌合させることにより、トノカバーケース２が固定される。トノカバー本体３の引出し側の端部に引っ掛け部７が設けられており、この引っ掛け部７を荷室後部の受け部８に係止させることによって、トノカバー本体３を展開状態に保持できるようになっている。
【０００４】
リクライニング機構を有するリヤシートでは、必要に応じてシートバック５の後傾角度（リクライニング角）を変化させることができる。この場合、リクライニング機構によってシートバック５を荷室４側に傾けると、シートバック５の一部あるいはヘッドレスト５ａがトノカバーケース２と干渉し、シートバック５を所望位置まで傾けることができなくなる。
【０００５】
このためリクライニング機構を有するリヤシートを搭載した車両は、トノカバーユニット１の取付位置を、例えば図６と図７に実線と２点鎖線Ａで示すようにシートバック５のリクライニング角に応じて前後方向に切換えることができるとよい。このような要望に答えるものとして、トノカバー取付部を前後方向に位置を異ならせて複数箇所に設け、シートバック５のリクライニング角に応じた位置にトノカバーユニット１を付け替えることができるようなトノカバー装置が提案されている
【０００６】
【発明が解決しようとする課題】
前記トノカバーユニット１は、シートバック５のリクライニング角を大きくする際に、トノカバー取付部からトノカバーユニット１を一旦取外したのち、後側にあるトノカバー取付部にトノカバーユニット１を再び嵌合させるといった作業が必要である。また、シートバック５のリクライニング角を元に戻したとき、トノカバーケース２とシートバック５との間の隙間が広がってしまうことを防ぐために、トノカバーユニット１を前の位置に戻す必要が生じる。
【０００７】
すなわち従来のトノカバーユニット１は、トノカバーとしての機能をまっとうするには、リヤシートバック５のリクライニング角が変わるたびにトノカバーユニット１の脱着操作を行なわなければならない。ところがトノカバーユニット１は長尺でかつ重量も大であるため、トノカバーユニット１をトノカバー取付部から取外したり固定し直す作業は大変であり、特に十分な体力をもたない作業者ではトノカバーユニットの扱いが困難な場合もある。とりわけ、トノカバー本体３を展開したままトノカバーユニット１の取付位置を変えることは実際上無理である。
従って本発明の目的は、トノカバーユニットを容易に所望位置に移動させることができるようなトノカバー装置を提供することにある。
【０００８】
【課題を解決するための手段】
本発明は、巻取機構を内蔵したトノカバーケースとこのトノカバーケースから引き出されるトノカバー本体を含むトノカバーユニットを備えた車両用トノカバー装置であって、荷室の両側部に設けられて各々が車体の前後方向に延びかつ前後に位置が異なる複数の係止部を有するガイド部材と、トノカバーケースの両端部に設けられて前記各ガイド部材の上面に乗りかつトノカバーケースがガイド部材に対し前後方向に移動できるよう該トノカバーケースをスライド自在に支持するサポート部と、トノカバーケースの前記両端部に設けられかつ前記サポート部が前記ガイド部材の上面に乗った状態において前記ガイド部材の係止部に対して係合するロック位置および係合が外れるロック解除位置にわたって移動可能なロック部材と、前記トノカバーケースの前記両端部に設けられロック部材を前記ロック位置からロック解除位置にわたって操作可能な操作部とを具備している。
【０００９】
本発明のトノカバー装置は、前記操作部を操作してロック部材をロック解除位置に移動させることにより、ロック部材とガイド部材の係止部との係合を外す。こうするとトノカバーユニットはガイド部材に沿って荷室の前後方向に移動させることができるから、リヤシートバックの後傾角度（リクライニング角）に応じて、リヤシートバックとトノカバーケースとの干渉を避ける位置、および両者間の隙間を少なくできる位置までトノカバーユニットを移動させる。そしてその位置にあるガイド部材の係止部にロック部材を係合させることにより、トノカバーユニットをガイド部材に固定する。
【００１０】
【発明の実施の形態】
以下にこの発明の一実施形態について図１から図５を参照して説明する。
図１に示された車両用トノカバー装置１０は、リクライニング機構１１を有するリヤシート１２のシートバック（リヤシートバック）１３の背後に装備されるものであり、後述するトノカバーユニット２０と、ガイド部材２１とを備えている。リヤシートバック１３の後側に荷室２２がある。図１において、荷室２２はリヤシートバック１３と車体内壁２５とリヤゲート（バックドア）２６とリヤフロアパネル（図示せず）などによって囲まれる空間である。リヤシートバック１３にヘッドレスト１３ａを設ける場合もある。
【００１１】
トノカバーユニット２０は、巻取機構（リトラクタ）を内蔵した筒状のトノカバーケース３０と、トノカバーケース３０に巻込まれるトノカバー本体３１とを備えている。トノカバー本体３１は布などのように面状に展開可能な可撓性を有する部材を主体とするもので、トノカバー本体３１の引き出し側の端部には剛性のあるプレート状の端部材３２が設けられている。
【００１２】
端部材３２に手掛け部３５が設けられており、この手掛け部３５に手を掛けてリヤゲート２６側に引き寄せることにより、トノカバー本体３１を荷室２２の後端位置まで展開させることができる。この端部材３２は荷室２２の幅方向（車幅方向）に延びている。端部材３２の両端に引っ掛け部３６が設けられており、引っ掛け部３６を荷室後部の受け部３７に係止させることによって、トノカバー本体３１を展開状態に保持できるようになっている。
【００１３】
一対のガイド部材２１は、荷室２２の左右両側部（車体内壁２５）に互いに平行に設けられている。これらガイド部材２１は例えばロッドの形態をとり、荷室２２の前後方向、すなわちトノカバー本体３１を引き出す方向に沿って延びている。図４に示すように各ガイド部材２１の下面側には、前後方向の複数箇所に所定間隔で溝状の係止部４０が形成されている。
【００１４】
トノカバーケース３０の両端部３０ａには、ガイド部材２１に向って突出するサポート部５０が設けられている。ガイド部材２１の上面にサポート部５０を乗せることにより、トノカバーケース３０がガイド部材２１の長手方向（荷室２２の前後方向）にスライド自在に支持される。
【００１５】
トノカバーケース３０の両端部３０ａに、ガイド部材２１の係止部４０に対し係脱可能なロック部材６０が設けられている。このロック部材６０は、トノカバーケース３０の長手方向すなわちトノカバー本体３１の幅方向に移動でき、リターンばね６１の弾力によって、トノカバーケース３０の端面からガイド部材２１に向って突出する方向に付勢されている。ロック部材６０の先端部６０ａは、ガイド部材２１の係止部４０に嵌合することのできるラッチ形状となっている。
【００１６】
このロック部材６０は、図３に示すようにガイド部材２１の係止部４０に嵌合するロック位置と、係止部４０から外れるロック解除位置（図５）とにわたって移動することができる。
【００１７】
ロック部材６０に操作部６５が設けられている。操作部６５はトノカバーケース３０の端部３０ａに対して図３中の矢印Ｆ方向と矢印Ｒ方向とに往復移動することができ、リターンばね６１の弾力に抗して操作部６５を矢印Ｆ方向に操作したときに、ロック部材６０をガイド部材２１の係止部４０から外す位置（図５に示すロック解除位置）まで移動させることができる。
【００１８】
次に、この実施形態のトノカバー装置１０の作用について説明する。
図３に示すようにロック部材６０がガイド部材２１の係止部４０に係合しているとき、トノカバーケース３０はロック部材６０を介してガイド部材２１に固定されている。この状態で、トノカバー本体３１の手掛け部３５に手を掛け、トノカバー本体３１をリヤゲート２６の方向に引き出し、トノカバー本体３１の引っ掛け部３６を受け部３７に係止させる。こうすることにより、トノカバー本体３１が荷室２２内に展開され、荷室２２を覆うことができる。
【００１９】
リヤシート１２のリクライニング機構１１によってシートバック１３のリクライニング角を変化させる場合、例えばシートバック１３の後傾角度を大きくすると、シートバック１３の一部やヘッドレスト１３ａがトノカバーケース３０に当たってしまうことがある。そのような場合には、操作部６５を操作することによってロック部材６０を前記ロック解除位置に移動させ、図５に示すようにロック部材６０とガイド部材２１の係止部４０との係合を外す。
【００２０】
こうすることにより、トノカバーケース３０はガイド部材２１に沿って荷室２２の前後方向にスライドできる状態となるから、シートバック１３のリクライニング角に応じて、シートバック１３やヘッドレスト１３ａがトノカバーケース３０と干渉しない位置までトノカバーケース３０を移動させる。
【００２１】
こうしてトノカバーケース３０を移動させる作業は、トノカバー本体３１を展開した状態、すなわちトノカバー本体３１の引っ掛け部３６を受け部３７に係止した状態のまま行なうことができる。このようにトノカバーケース３０の前後方向の位置を調整したのち、ロック部材６０をガイド部材２１の係止部４０に係合させることにより、トノカバーケース３０が例えば図１あるいは図２中に２点鎖線Ｂで示す位置に固定される。
【００２２】
シートバック１３のリクライニング角を元に戻したとき、すなわちシートバック１３の後傾角度を小さくしたときに、トノカバーケース３０とシートバック１３との間の隙間が広がることになり、その隙間から荷室２２の一部が見えてしまう。そのような場合には、操作部６５を再びロック解除位置（図５）に操作し、シートバック１３とトノカバーケース３０との間の隙間を少なくする位置までトノカバーケース３０を前進させたのち、前側の係止部４０にロック部材６０を係合させることにより、荷室２２の前記隙間を少なくした状態でトノカバーケース３０を固定すればよい。
【００２３】
以上説明した実施形態のトノカバー装置１０は、シートバック１３のリクライニング角を変化させる際にトノカバーユニット２０を取外す必要がなく、操作部６５のロック解除操作とトノカバーケース３０のスライド操作だけでトノカバーユニット２０を所望の位置まで移動させることができる。このためトノカバーユニット２０が長尺でかつ重くても、容易にトノカバーユニット２０の位置を変えることができ、シートバック１３のリクライニング操作が可能となる。
【００２４】
なお、この発明はリクライニング機構を備えていないリヤシートにも適用可能である。例えばトノカバー本体３１を展開したままリヤシート側から荷室２２に荷物を出し入れしたいときなどに、トノカバーケース３０を後方にスライドさせることにより、荷室２２の前部を開口させることができる。
この発明を実施するに当たって、ガイド部材２１やトノカバーケース３０、サポート部５０、ロック部材６０、操作部６５をはじめとして、この発明の構成要素を種々に変形して実施できることは言うまでもない。
【００２５】
【発明の効果】
この発明のトノカバー装置によれば、リヤシートバックの傾きに応じてトノカバーユニットをリヤシートバックと干渉しない位置、あるいはリヤシートバックとトノカバーケースとの間の隙間を小さくできる位置に容易に移動させることができる。このトノカバーケースの位置を調整する作業は、トノカバー本体を展開した状態のままリヤシート側から行なうこともできる。トノカバーの位置を調整できる範囲は、ガイド部材の長さに応じて設定でき、ガイド部材の係止部の数と位置などに応じて複数段階の位置調整が可能である。また、トノカバーユニットを外す必要がないので、トノカバーユニットの置き場に困らないなど、優れた効果を奏することができる。
【図面の簡単な説明】
【図１】この発明の一実施形態を示すトノカバー装置と車両の一部の平面図。
【図２】図１に示されたトノカバー装置とリヤシートの側面図。
【図３】図１に示されたトノカバー装置の一部を車体後方から見た背面図。
【図４】図１に示されたトノカバー装置のガイド部材とロック部材の一部の断面図。
【図５】図３に示されたロック部材をガイド部材から外した状態のトノカバー装置の一部の背面図。
【図６】従来のトノカバー装置と車両の一部の平面図。
【図７】図６に示された従来のトノカバー装置とリヤシートの一部の側面図。
【符号の説明】
１０…トノカバー装置
１１…リクライニング機構
１３…リヤシートバック
２０…トノカバーユニット
２１…ガイド部材
２２…荷室
３０…トノカバーケース
３１…トノカバー本体
４０…係止部
５０…サポート部
６０…ロック部材
６５…操作部
【図１】
0003703303.tif 000002
【図２】
0003703303.tif 000003
【図３】
0003703303.tif 000004
【図４】
0003703303.tif 000005
【図５】
0003703303.tif 000006
【図６】
0003703303.tif 000007
【図７】
0003703303.tif 000008